(57)【特許請求の範囲】
【請求項１】
少なくとも、ガスバリア層と中間層とシーラント層を積層した積層シートからなり、容器口部にシールされ密封容器を形成するインナーシール材であって、前記インナーシール材に、両端部が周縁方向に向くＵ字状の開口切れ目線により、開口口形成部が形成され、前記開口切れ目線の両端部の延長上に配され、少なくとも一部が直線状である開口止め線が形成され、前記開口止め線の端部が前記開口切れ目線の端部よりも外側に形成されていることを特徴とするインナーシール材。
【請求項２】
前記開口止め線がくの字状に形成されていることを特徴とする請求項１記載のインナーシール材。
【請求項３】
前記開口止め線の間隔が、０．５〜１．５ｍｍであることを特徴とする請求項２記載のインナーシール材。
【請求項４】
前記開口止め線の端部が、該開口切れ目線の端部より外側に、それぞれ３ｍｍ以上離れて形成されてなることを特徴とする請求項１〜３のいずれか１項に記載のインナーシール材。
【請求項５】
前記開口止め線が、前記開口切れ目線の両端部を結んだ線に対して、それぞれ０〜３０°の角度で容器口部方向に傾斜していることを特徴とする請求項１〜４のいずれか１項に記載のインナーシール材。
【請求項６】
前記開口切れ目線および前記開口止め線が、前記積層シートのシーラント層から中間層までハーフカットされてなることを特徴とする請求項１〜５のいずれか１項に記載のインナーシール材。
【発明の詳細な説明】
【技術分野】
【０００１】
本発明は、コーヒー粉末、クリーム粉末、化学調味料などが充填されている容器本体の口部を密封するためのインナーシール材に関するものである。
【背景技術】
【０００２】
例えば、コーヒー粉末やクリーム粉末などが充填されているガラス壜などの口部には、内容物を湿気から保護するために密封用のインナーシール材がシールされている。また、インナーシール材の上から、容器をキャップにて螺合または嵌合されて密封容器を形成している。
【０００３】
インナーシール材を開口するには、図８−１に示すように、インナーシール材５０を容器口部６から一部剥がして開口口５を形成する方法がある。しかし、インナーシール材の外周縁を摘み難く開口口を形成し難い問題がある。また、インナーシール材の外周縁に突き出し部を設けて摘み部とする方法もあるが、突き出し部があることで、キャップで螺合または嵌合し難くなる問題がある。
【０００４】
また、インナーシール材の一部にカッター刃などで開口口を形成する方法もあるが、手間がかかり、また怪我の心配もある。
【０００５】
また、インナーシール材に予め開口口を形成するための易破断線を備えた提案がある（特許文献１）。インナーシール材５０に形成された易破断線を押し破り、破断線で囲まれた部分を除去して開口口５を形成する提案である。その一例を図８−２に示す。しかし、除去する部分が容器内へ落下する問題がある。
【０００６】
また、別にインナーシール材に予め開口口を形成するための易破断線を備えた提案がある（特許文献１）。これは、易破断線に沿って、指で押し破り、開口口を形成するものである。しかし、押し破る力により、開口口は、意図しない方向に破れてしまい、所望の開口口が出来ない場合がある。
【先行技術文献】
【特許文献】
【０００７】
【特許文献１】特開平１−２６７１６７号公報
【特許文献２】特開２００２−３３７９２０号公報
【発明の概要】
【発明が解決しようとする課題】
【０００８】
本発明は、背景技術の問題に鑑みて、安定して、所望の開口口を形成できるインナーシール材を提供することにある。
【課題を解決するための手段】
【０００９】
上記の課題を解決するために、発明者らは鋭意検討を行い、本発明を完成した。
【００１０】
本発明の請求項１に係る発明は、少なくとも、ガスバリア層と中間層とシーラント層を積層した積層シートからなり、容器口部にシールされ密封容器を形成するインナーシール材であって、前記インナーシール材に、両端部が周縁方向に向くＵ字状の開口切れ目線により、開口口形成部が形成され、前記開口切れ目線の両端部の延長上に配され、少なくとも一部が直線状である開口止め線が形成され、前記開口止め線の端部が前記開口切れ目線の端部よりも外側に形成されていることを特徴とするインナーシール材である。
【００１１】
本発明の請求項２に係る発明は、前記開口止め線がくの字状に形成されていることを特徴とする請求項１記載のインナーシール材である。
【００１３】
本発明の請求項３に係る発明は、前記開口止め線の間隔が、０．５〜１．５ｍｍであることを特徴とする請求項２記載のインナーシール材である。
【００１４】
本発明の請求項５に係る発明は、前記開口止め線が、前記開口切れ目線の両端部を結んだ線に対して、それぞれ０〜３０°の角度で容器口部方向に傾斜していることを特徴とする請求項１〜４のいずれか１項に記載のインナーシール材である。
【００１５】
本発明の請求項４に係る発明は、前記開口止め線の端部が、該開口切れ目線の端部より外側に、それぞれ３ｍｍ以上離れて形成されてなることを特徴とする請求項１〜３のいずれか１項に記載のインナーシール材である。
【００１６】
本発明の請求項７に係る発明は、前記開口切れ目線および前記開口止め線が、前記積層シートのシーラント層から中間層までハーフカットされてなることを特徴とする請求項１〜６のいずれか１項に記載のインナーシール材である。
【発明の効果】
【００１７】
本発明のインナーシール材は、開口切れ目線に沿って開口口形成部を押し破り、開口口を形成させても、押し破る力を開口止め線が受け止めて開口口を形成することができる。開口口は、意図しない方向に破れず所望の開口口を形成することができる。
【００１８】
また、開口止め線の形状が、開口止め線の両端部から、それぞれ開口切れ目線の外側から内側に向けて容器口部方向に形成され、その交差する点が、前記開口切れ目線の両端を結ぶ線の中央線上で、近接する容器口部寄りに形成された、くの字状であることにより、開口口形成部を押し破る力を、開口止め線でしっかりと受け止め、意図しない方向への破れを防ぎ、所望の開口口を形成することができる。
【００１９】
また、開口切れ目線と両端部の先に、開口止め線が配され、開口切れ目線の端部と前記開口止め線との距離が、それぞれ１．５〜２ｍｍであることにより、開口口形成部を押し破る力を、開口止め線にてしっかりと受け止め、意図しない方向への破れを防ぎ、開口口を形成することができる。
【００２０】
また、開口止め線が、平行に等間隔で３本以上からなり、その間隔が０．５〜１．５ｍｍであることにより、開口口形成部を押し破る力をしっかりと受け止めることができる。安定して所望の開口口を形成することができる。
【００２１】
また、開口止め線が、前記開口切れ目線の両端部を結んだ線に対して、それぞれ０〜３０°の角度で容器口部方向に傾斜していることにより、開口口形成部を押し破る力を開口止め線の内側に集中させ、意図しない方向への破れを防ぐことができる。
【００２２】
また、開口切れ目線の端部が、該開口切れ目線の端部より外側に、それぞれ３ｍｍ以上離れて形成されてなることにより、開口口形成部を押し破る力を開口止め線が受け止め易くすることができる。
【００２３】
また、開口切れ目線および開口止め線が、積層シートのシーラント層から中間層までハーフカットされてなることにより、易破断性を付与することができる。また、開口止め線での折り曲げ性を付与することができる。
【００２４】
本発明のインナーシール材は、指で、開口切れ目線に沿って開口口形成部を押し破り、開口口を形成させても、意図しない方向への破れがなく所望の開口口が得られるものである。
【図面の簡単な説明】
【００２５】
【図１】本発明のインナーシール材の一例を示す平面図である。
【図２】図１のインナーシール材に開口口を形成した一例を示す説明図である。
【図３】本発明のインナーシール材の層構成の一例を示す説明図である。
【図４】インナーシール材に開口口を形成する状態を示す説明図である。
【図５】インナーシール材を使用した密封容器の一例を示す説明図である。
【図６】開口止め線の説明図である。
【図７】比較例の開口口の状態を示す説明図である。
【図８】従来の開口口の一例を示す説明図である。
【発明を実施するための形態】
【００２６】
以下、本発明を実施するための形態につき説明する。
【００２７】
図１は、本発明のインナーシール材の一例を示す平面図である。図１−１に示す、インナーシール材１は、容器本体の容器口部の形状と略同等の形状に形成されている。インナーシール材には、開口切れ目線２が、該開口切れ目線２の先端が中央方向に向くＵ字状に形成され、開口口形成部４が形成されている。また、開口切れ目線２の両端の先に配され。直線状の開口止め線３が、平行に等間隔で３本形成されている。開口止め線３は、平行に等間隔でそれぞれ形成されている。
【００２８】
また、図１−２には、開口止め線３が、それぞれ開口切れ目線２の外側から内側に向けて容器口部６方向に形成され、その交差する点が、開口切れ目線の両端を結ぶ中央線上で、近接する容器口部６寄りに形成された、くの字状で形成されている。
【００２９】
図２は、図１のインナーシール材に開口口を形成した一例を示す説明図である。指で２０開口切れ目線に沿って開口形成部を押し破り、開口口５を形成させた状態を示している。指で開口切れ目線に沿って開口形成部を押し破る力を、開口止め線３にて受け止め、意図しない方向への破れがなく、所望の開口口５を形成している状態を示している。図２−１は、開口切れ目線の両端の先に配され、直線状の開口止め線が形成されたときの開口口を示している。また、図２−２は、開口切れ目線の両端の先に配され、切れ目線より形成されたくの字状の開口止め線が形成されたときの開口口を示している。
【００３０】
図３は、本発明のインナーシール材の層構成の一例を示す説明図である。図３−１に示す、積層シート１０は、少なくとも、ガスバリア層１１／接着層１５／中間層１２／接着層１５／シーラント層１３からなっている。積層シート１０には、開口切れ目線２により開口口形成部４が形成され、開口止め線３を形成されている。開口切れ目線２および開口止め線３は、シーラント層の表面から中間層までハーフカットされている。また、図３−
２に示す積層シート１０は、開口切れ目線２および開口止め線３の上部のガスバリア層１１の表面に印刷層１４を設けた一例を示している。印刷層１４で開口切れ目線および開口止め線の表示を行い、押し破る位置を明確にすることができる。
【００３１】
図４は、インナーシール材に開口口を形成する一例を示す説明図である。インナーシール材の開口切れ目線に沿って開口口形成部を押し破り、開口口を形成する一例を示している。図４−１は、ガスバリア層１１の表面に印刷された印刷層１４を目安に、指２０をガスバリア層１１の表面にあてがい、押し込む状態を示している。図４−２は、押し込み、開口切れ目線２に沿って開口形成部４を押し破っている状態を示している。指２０を押し込み、開口形成部４を押し破ると開口口５が形成される。図４−３は、押し破る力を、開口止線３が受け止めて、開口形成部４を内側に押し曲げた状態を示している。形成された開口口５は、所望された形状で形成される。
【００３２】
図５は、インナーシール材を使用した密封容器の一例を示す説明図である。湿気を嫌う内容物が収納された容器本体３２の容器口部６に、インナーシール材１がシールされ密封されている。さらにインナーシール材の上から容器本体がキャップにて螺合または嵌合さいている。このようにして密封容器３０が形成される。また、酸素を嫌う内容物でも同様にして密封容器を形成することができる。
【００３３】
図６は、開口止め線の説明図である。該開口切れ目線２は、その先端が中央方向に向くＵ字状に形成され、開口口形成部４が形成されている。開口切れ目線２の両端の先に配され、くの字状の開口止め線３が平行に等間隔で３本形成されている一例を示している。開口切れ目線２の両端と開口止め線３との距離Ｌは、それぞれ１．５〜２ｍｍであることが好ましい。また開口止め線３の間隔Ｍが０．５〜１．５ｍｍであることが好ましい。また開口止め線３が、開口切れ目線の両端を結んだ線７に対して、０〜３０°の角度θで容器口部方向に傾斜していることが好ましい。また、開口止め線の端部が、開口切れ目線の端部より外側に、それぞれ距離Ｎが３ｍｍ以上離れていることが好ましい。このようにすることで、開口口形成部を押し破る力を開口止め線がしっかりと受け止め、所望の開口口を形成することができる。
【００３４】
さらに、本発明を実施するための形態につき説明する。
【００３５】
積層シートを形成するガスバリア層１１としては、水蒸気バリア性、酸素バリア性が必要となる。アルミニウム箔、アルミニウムを蒸着したフィルム、無機酸化物を蒸着したフィルム、エチレン−ビニルアルコール共重合体フィルム、塩化ビニリデンフィルム、ポリエステルフィルム、ポリプロピレンフィルムなどを挙げることができる。
【００３６】
無機酸化物としては、酸化珪素、酸化アルミニウム、酸化マグネシウム、酸化カルシュウム、酸化カリウム、酸化錫、酸化ナトリウム、酸化ホウ素、酸化チタン、酸化鉛、酸化ジルコニウム、酸化イットリウムなどの金属の酸化物が使用できる。中でも生産性、価格面から酸化珪素、酸化アルミニウム、酸化マグネシウムなどが好ましい。
【００３７】
シーラント層１３としては、低密度ポリエチレン（ＬＤＰＥ）、直鎖状低密度ポリエチレン（ＬＬＤＰＥ）、中密度ポリエチレン（ＭＤＰＥ）、高密度ポリエチレン（ＨＤＰＥ）、エチレン−メタクリル酸共重合体（ＥＭＡＡ）、エチレン−アクリル酸エチル共重合体（ＥＡＡ）、エチレン−酢酸ビニル共重合体（ＥＶＡ）、アイオノマー、ポリプロピレン（ＰＰ）などのポリオレフィン系樹脂からなるフィルムが使用できる。これらの樹脂を押出し機により製膜して使用することができる。上記の樹脂を用いて単層または複層にて使用できる。
また、これら樹脂を溶媒に溶かし塗布液を形成し、塗布液を印刷方式またはコーティング
方式にて積層してもよい。
【００３８】
接着層１５としては、ドライラミネート用接着剤が使用できる。例えば、二液硬化型ウレタン系接着剤、ポリエステルウレタン系接着剤、ポリエーテルウレタン系接着剤、アクリル系接着剤、ポリエステル系接着剤、ポリアミド系接着剤、エポキシ系接着剤などが使用することができる。貼り合わせ方法としては、ドライラミネート法にて可能である。また、中間層とシーラント層を貼り合わせる場合は、ドライラミネート法以外に、ポリエチレン樹脂を押出し機により押出しサンドポリ法にて貼り合わせることもできる。
【００３９】
中間層１２としては、インナーシール材の剛性や引っ張り強度などを向上させるために積層する。例えば、ポリエステルフィルム、ポリエチレンフィルム、プロピレンフィルムなどが使用できる。
【００４０】
また、ガスバリア層の表面に絵柄などの印刷層１４を設ける。印刷層を形成する方法としては、グラビア印刷、オフセット印刷、フレキソ印刷、シルク印刷、インクジェット印刷など公知の方法で可能である。
【００４１】
次に、開口切れ目線、開口止め線を形成するには、積層シートのシーラント層の表面から中間層まで貫通するようにハーフカットする。ハーフカットは公知の方法を使用することができる。例えば、トムソン刃を用いた抜き機、ロータリーダイカッターなどにより行うことができる。ミシン目状の不連続線のスリットなどが挙げられる。
【００４２】
以下、本発明の具体的実施例について説明する。
【実施例１】
【００４３】
アルミニウム箔９μｍとポリエステルフィルム１２μｍを、２液硬化型ウレタン系接着剤を用いてドライラミネート法により貼り合わせた。
【００４４】
次に、アルミニウム箔の表面に、開口切れ目線および開口止め線を形成する目安としての印刷層を、グラビアインキを用い、グラビア印刷して形成した。
【００４５】
次に、上記ポリエステルフィルム面に、直鎖状低密度ポリエチレンフィルム３０μｍを２液硬化型ウレタン系接着剤を用いてドライラミネート法により貼り合わせ積層シートを作成した。
【００４６】
次に、上記の積層シートを、容器本体の容器口部の形状と略同等の形状に打ち抜き、円形のインナーシール材を形成した。この際、開口切れ目線を、該開口切れ目線の先端が中央方向に向くＵ字状に形成し開口口形成部を形成した。Ｕ字状としては、開口切れ目線の両端部の距離を２０ｍｍ、先端と両端部を結んだ線との距離を１５ｍｍとした。また、開口切れ目線の端部より先にくの字状に開口止め線を、横方向の長さを２８ｍｍに形成し、平行に等間隔で３本形成し、その間隔を１．５ｍｍとした。この際、開口切れ目線の端部と開口止め線との距離をそれぞれ２ｍｍとした。また、開口止め線を、開口切れ目線の両端部を結んだ線に対して、それぞれ１５°の角度で容器口部方向に傾斜するように形成した。
【００４７】
尚、開口切れ目線および開口止め線は、上記積層シートの直鎖状低密度ポリエチレンフィルムの表面からポリエステルフィルムまで、レーザーにより貫通させてハーフカットして形成した。外形は、トムソン刃を用いた抜き機にて行った。この際、容器口部の形状に合わせ、円形で、かつ容器口部でのシール面の内寸が直径８０ｍｍの真円になるように打ち抜きしてインナーシール材を作成した。
【００４８】
次いで、ガラス壜容器の容器口部に、上記インナーシール材の直鎖状低密度ポリエチレンフィルム面を重ね、熱圧を掛けてシールして密封して密封容器を作成した。容器口部でのシール面の内寸が直径８０ｍｍの真円になる密封容器を作成した。
【実施例２】
【００４９】
開口止め線の間隔を１．０ｍｍとした以外は、実施例１と同様に行い密封容器を作成した。
【実施例３】
【００５０】
開口切れ目線の端部と開口止め線との距離をそれぞれ１．５ｍｍとし、かつ開口止め線の間隔を０．５ｍｍした以外は、実施例１と同様に行い密封容器を作成した。
【実施例４】
【００５１】
開口切れ目線の端部と開口止め線との距離をそれぞれ１．５ｍｍとし、かつ開口止め線の間隔を１．０ｍｍとした以外は、実施例１と同様に行い密封容器を作成した。
【実施例５】
【００５２】
開口止め線の間隔を１．０ｍｍとし、かつ、開口止め線を開口切れ目線の両端部を結んだ線に対して、それぞれ３０°の角度で容器口部方向に傾斜させた以外は、実施例１と同様に行い密封容器を作成した。
【実施例６】
【００５３】
開口止め線の間隔を１．０ｍｍとし、かつ、開口止め線を開口切れ目線の両端部を結んだ線に対して、それぞれ０°の角度で容器口部方向に傾斜させた以外は、実施例１と同様に行い密封容器を作成した。
【００５４】
以下に、本発明の比較例について説明する。
【００５５】
＜比較例１＞
開口止め線を２本とし、その間隔を１．０ｍｍとした以外は、実施例１と同様に行い密封容器を作成した。
【００５６】
＜比較例２＞
開口切れ目線および開口止め線を形成しない以外は、実施例１と同様に行い密封容器を作成した。
【００５７】
＜比較例３＞
ポリエステルフィルム１２μｍの替わりに、紙３０ｇ／ｍ２を用いて積層シートを形成し、かつ開口切れ目線および開口止め線を形成しない以外は、実施例１と同様に行い密封容器を作成した。
【００５８】
＜評価方法＞
インナーシール材を、指で開口口形成部を押し破り、開口口を形成した状態を評価した。開口止め線で開口を受け止め、開口口を形成できるものを○とし、できないものを×とした。
【００５９】
評価結果を表１に示す。
【００６０】
【表１】
0006531358.tif 000002
実施例１〜６の結果から、開口口は、開口止め線で開封が止まり、問題なく形成できた。
【符号の説明】
【００６１】
１      本発明のインナーシール材
２      開口切れ目線
３      開口止め線
４      開口口形成部
５      開口口
６      容器口部
７      開口切れ目線の端部を結んだ線
１０    積層シート
１１    ガスバリア層
１２    中間層
１３    シーラント層
１４    印刷層
１５    接着層
２０    指
３０    密封容器
３１    キャップ
３２    容器本体
４０    比較例の開口口の状態
５０    従来のインナーシール材
Ｌ      開口切れ目線の端部と開口止め線との距離
Ｍ      開口止め線間の間隔
Ｎ      開口切れ目線の端部と開口止め線の端部との距離
θ      開口止め線の傾斜角度（開口切れ目線の端部を結んだ線に対する）
【図１】
0006531358.tif 000003
【図２】
0006531358.tif 000004
【図３】
0006531358.tif 000005
【図４】
0006531358.tif 000006
【図５】
0006531358.tif 000007
【図６】
0006531358.tif 000008
【図７】
0006531358.tif 000009
【図８】
0006531358.tif 000010